(57)【要約】  放射部の数を増やしても高価にならない部分加熱可能な加熱調理器を提供すること。電子レンジ（１）は、第１増幅部（１４）および第２増幅部（１５）にて増幅されたマイクロ波の供給先を、被加熱物（３１）に対してマイクロ波を放射する複数の第１アンテナ（２２）および複数の第２アンテナ（２３）の何れかに切り替える第１切替え部（２０）および第２切替え部（２１）を備える。
2019038941.tif 000002
【特許請求の範囲】
【請求項１】
被加熱物に対してマイクロ波を放射する複数の放射部と、
マイクロ波を増幅して上記放射部に供給する増幅部と、
上記増幅部からのマイクロ波の供給先を、上記複数の放射部の何れかに切り替える切替え部と、を備えていることを特徴とする加熱調理器。
【請求項２】
被加熱物を撮像する画像センサと、
上記画像センサによって撮像された画像から、上記被加熱物の載置位置、種類の少なくとも何れかを特定する特定部と、を備え、
上記切替え部は、上記特定部によって特定された被加熱物の載置位置、種類の少なくとも何れかに応じて上記放射部を切り替えることを特徴とする請求項１に記載の加熱調理器。
【請求項３】
上記切替え部は、
上記増幅部からのマイクロ波の供給先を、２つ以上の放射部に切り替えることを特徴とする請求項１または２に記載の加熱調理器。
【請求項４】
上記切替え部から上記放射部にマイクロ波を供給するための配線の長さが、当該放射部毎に異なっていることを特徴とする請求項１〜３の何れか１項に記載の加熱調理器。
【請求項５】
上記複数の放射部は、それぞれ異なる周波数特性を有しており、
上記切替え部は、
上記増幅部によって増幅されたマイクロ波の供給先を、各放射部の周波数特性に応じて切替えることを特徴とする請求項１〜４の何れか１項に記載の加熱調理器。
【請求項６】
上記切替え部は、
上記放射部のそれぞれに接続されたサーキュレータを備えていることを特徴とする請求項５に記載の加熱調理器。
【請求項７】
上記放射部が放射したマイクロ波を受信する受信アンテナを備え、
上記受信アンテナが受信したマイクロ波から、上記被加熱物の載置位置、種類の少なくとも何れかを特定する特定部と、を備え、
上記切替え部は、上記特定部によって特定された被加熱物の載置位置、種類の少なくとも何れかに応じて上記放射部を切り替えることを特徴とする請求項１に記載の加熱調理器。
【発明の詳細な説明】
【技術分野】
【０００１】
本発明は、加熱調理器に関する。
【背景技術】
【０００２】
近年、被加熱物において温めたい箇所を選択的に加熱することが可能な加熱調理器が提案されている（例えば特許文献１）。
【先行技術文献】
【特許文献】
【０００３】
【特許文献１】日本国公開特許公報「特開２０１７−１６９５１号公報（２０１７年１月１９日公開）」
【発明の概要】
【発明が解決しようとする課題】
【０００４】
ところで、被加熱物において温めたい箇所を選択的に加熱するには、加熱調理器においてマイクロ波を放射する放射部を複数設けて、それぞれの放射部に増幅したマイクロ波を供給する増幅器を駆動制御することになる。通常、増幅部と放射部とは１対１で設けられているので、放射部の数が増えれば、増幅部の数も同じだけ増やす必要がある。【０００５】
しかしながら、増幅部は高価であるため、被加熱物において温めたい箇所を選択的に加熱するために、放射部の数と同様に増幅器の数を増やせば加熱調理器が高価になるというという問題が生じる。【０００６】
本発明の一態様は、被加熱物において温めたい箇所を選択的に加熱するために放射部の数を増やしても高価にならない加熱調理器を提供することを目的とする。
【課題を解決するための手段】
【０００７】
上記の課題を解決するために、本発明の一態様に係る加熱調理器は、被加熱物に対してマイクロ波を放射する複数の放射部と、を増幅して上記放射部に供給する増幅部と、上記増幅部からのマイクロ波の供給先を、上記複数の放射部の何れかに切り替える切替え部と、を備えていることを特徴としている。
【発明の効果】
【０００８】
本発明の一態様によれば、被加熱物において温めたい箇所を選択的に加熱するために放射部の数を増やしても高価にならない加熱調理器を提供できる。
【図面の簡単な説明】
【０００９】
【図１】本発明の実施形態の加熱調理器である電子レンジの構成を示すブロック図である。
【図２】図１に示した被加熱物の平面図である。
【図３】本発明の他の実施形態の加熱調理器である電子レンジの構成を示すブロック図である。
【図４】本発明のさらなる他の実施形態の加熱調理器である電子レンジに搭載された切替え部の概略構成図である。
【図５】本発明のさらなる他の実施形態の加熱調理器である電子レンジに搭載のアンテナとその配線を示す平面図である。
【図６】本発明の加熱調理器をクラウドサーバに接続した一例を示すブロック図である。
【発明を実施するための形態】
【００１０】
〔実施形態１〕
本発明の実施形態を図面に基づいて以下に説明する。なお、以下の実施形態では、本発明の加熱調理器の構成をマイクロ波加熱調理器に適用した例について説明する。
【００１１】
（電子レンジの構成）
図１は、本実施形態のマイクロ波加熱調理器の構成を示すブロック図である。本実施形態において、加熱調理器であるマイクロ波加熱調理器（以下、単に電子レンジと称する）１は、被加熱物３１において温めたい箇所を選択的に加熱することができる。このために、図１に示すように、電子レンジ１は、制御部（特定部）１１、発振部１２、前段増幅部１３、第１増幅部１４、第２増幅部１５、第１位相変換部１６、第２位相変換部１７、第１反射電力検出部１８、第２反射電力検出部１９、第１切替え部２０、第２切替え部２１、第１アンテナ２２、第２アンテナ２３、画像センサ２４および記憶部２５を備えている。
【００１２】
発振部１２は、マイクロ波を発振し、かつマイクロ波の発振周波数およびマイクロ波の強度を制御部１１からの指示に基づいて調節する。発振部１２から出力されたマイクロ波は、前段増幅部１３を経て、第１増幅部１４、第１位相変換部１６、第１反射電力検出部１８、第１切替え部２０を経て、第１アンテナ２２に至る経路、第２増幅部１５、第２位相変換部１７、第２反射電力検出部１９、第２切替え部２１を経て、第２アンテナ２３に至る経路に分岐して、それぞれ第１アンテナ２２および第２アンテナ２３から電子レンジ１の内部へ放射される。
【００１３】
第１増幅部１４は、発振部１２にて発振され、前段増幅部１３で増幅されたマイクロ波をさらに増幅し、第１位相変換部１６、第１反射電力検出部１８、第１切替え部２０を経て第１アンテナ２２に出力する。
【００１４】
第２増幅部１５は、発振部１２にて発振され、前段増幅部１３で増幅されたマイクロ波をさらに増幅し、第２位相変換部１７、第２反射電力検出部１９、第２切替え部２１を経て第２アンテナ２３に出力する。
【００１５】
第１位相変換部１６および第２位相変換部１７は、制御部１１により制御され、加熱室１ａ内に載置された被加熱物３１に対してマイクロ波の所望の強度分布が形成されるように、第１アンテナ２２および第２アンテナ２３から放射されるマイクロ波の位相を変換する。
【００１６】
第１反射電力検出部１８および第２反射電力検出部１９は、加熱室１ａ内に放射されたマイクロ波の反射波を受信し、反射電力に変換し、変換した反射電力を、制御部１１に送信する。制御部１１では、第１反射電力検出部１８および第２反射電力検出部１９からの反射電力から、加熱室１ａ内に載置された被加熱物３１の載置位置および種類（素材等）を特定し、加熱調理に最適なマイクロ波を、被加熱物３１に対して放射するように制御する。ここでは、第１アンテナ２２、第２アンテナ２３全てにおいて、マイクロ波の反射波を受信するようにする。これにより、被加熱物３１の載置位置および種類（素材等）の特定精度を上げることができる。しかしながら、第１アンテナ２２、第２アンテナ２３全てを用いて反射波を受信することに限定されるものではない。
【００１７】
第１切替え部２０および第２切替え部２１は、制御部１１からの指示により、マイクロ波の供給先を切り替える。なお、第１切替え部２０においてマイクロ波の切り替え先は、一つの第１アンテナ２２であってもよいし、二つ以上の第１アンテナ２２であってもよい。同様に、第２切替え部２１においてマイクロ波の切り替え先は、一つの第２アンテナ２３であってもよいし、二つ以上の第２アンテナ２３であってもよい。つまり、第１切替え部２０、第２切替え部２１は、何れも１対多の切り替え行なうようになっている。なお、本実施形態では、第１切替え部２０、第２切替え部２１におけるマイクロ波の切り替えは、制御部１１からの指示に基づきＯＮ／ＯＦＦの切り替えを行なうスイッチを用いて実現している。しかしながら、第１切替え部２０、第２切替え部２１におけるマイクロ波の切り替えは、上記の例に限定されるものではなく、他の方法で実現してもよい。他の方法の実現については、後述する他の実施形態において説明する。
【００１８】
第１アンテナ２２および第２アンテナ２３は、半導体素子からなり、それぞれ複数個（本実施形態では４個）電子レンジ１の加熱室１ａ内の底面に設けられている。つまり、本実施形態の場合、加熱室１ａ内の底面を８つの領域に分けて、それぞれに第１アンテナ２２または第２アンテナ２３が設けられている。これにより、加熱室１ａに載置された被加熱物３１に対して、底面側からマイクロ波が放射されるので、被加熱物３１の載置された場所、素材などによって、８つの領域に設置された各第１アンテナ２２および各第２アンテナ２３の何れかを用い、当該被加熱物３１において温めたい箇所にマイクロ波を放射する。従って、被加熱物３１において温めたい箇所を選択的に加熱することができる。
【００１９】
画像センサ２４は加熱室１ａの天壁に設けられ、加熱室１ａ内に載置された被加熱物３１の画像を上方から撮像し、当該被加熱物３１の上面の画像（平面画像）を取得する。
【００２０】
制御部１１は、発振部１２、第１位相変換部１６、第２位相変換部１７、第１切替え部２０および第２切替え部２１の動作を制御する。この場合、制御部１１は、画像センサ２４が取得した被加熱物３１の平面画像から、被加熱物３１の加熱室１ａ内の載置位置を認識する。次に、制御部１１は、第１反射電力検出部１８、第２反射電力検出部１９から取得した反射電力に基づき、被加熱物３１の加熱対象箇所の素材を認識する。そして、制御部１１は、認識した被加熱物３１の載置位置、加熱態様箇所の素材に応じて、マイクロ波を放射するアンテナの選定、放射するマイクロ波の出力を決める。これにより、制御部１１は、第１位相変換部１６、第２位相変換部１７によるマイクロ波の位相変換をどのように行なうのか、第１切替え部２０、第２切替え部２１によるマイクロ波の供給先である第１アンテナ２２、第２アンテナ２３をどのように選定するのかを決める。
【００２１】
記憶部２５は、不揮発性のメモリからなり、制御部１１が発振部１２、第１位相変換部１６、第２位相変換部１７、第１切替え部２０および第２切替え部２１の動作を制御する場合に使用する情報など、制御部１１にて使用する各種情報を記憶する。
【００２２】
なお、電子レンジ１の加熱室１ａの天面に、マイクロ波を吸収するマイクロ波吸収体を設けてもよい。この場合、第１アンテナ２２、第２アンテナ２３から放射されたマイクロ波のうち、被加熱物３１にて吸収されずに加熱室１ａ内を反射した反射波をマイクロ波吸収体によって吸収することができる。これにより、マイクロ波吸収体によってマイクロ波の反射波を吸収することで、第１アンテナ２２、第２アンテナ２３へのマイクロ波の反射を減少させることができる。これにより、第１アンテナ２２、第２アンテナ２３を構成している半導体素子がマイクロ波の反射による破損を抑制することができる。
【００２３】
マイクロ波吸収体は、上述のように、加熱室１ａの天面以外に設けてもよく、例えば、第１アンテナ２２、第２アンテナ２３が設けられていない面（例えば、庫内の側面）に設けられていてもよく、第１アンテナ２２、第２アンテナ２３によるマイクロ波の放射範囲内に設けられていればよい。特に、マイクロ波吸収体は、第１アンテナ２２、第２アンテナ２３への反射を極力低減できるような位置に配置するのが好ましい。また、マイクロ波吸収体の配置数についても特に限定されるものではない。
【００２４】
（被加熱物の加熱制御）
ここで、被加熱物３１の加熱制御について説明する。図２は、被加熱物３１における食材の配置位置を示す平面図である。
【００２５】
図２では、一例として、ご飯３２ａ、唐揚げ３２ｂ、サラダ３２ｃを含む被加熱物３１を示している。この例では、ご飯３２ａと唐揚げ３２ｂは加熱が必要であり、サラダ３２ｃは加熱が不要である。従って、ご飯３２ａと唐揚げ３２ｂを加熱するように、図１に示す制御部１１は、第１位相変換部１６および第２位相変換部１７に対してマイクロ波の位相を変換させ、第１切替え部２０および第２切替え部２１に対して、第１アンテナ２２群のどのアンテナ、第２アンテナ２３群のどのアンテナを使用するかを選択して、選択した第１アンテナ２２、第２アンテナ２３からマイクロ波を放射する。
【００２６】
なお、第１位相変換部１６、第２位相変換部１７にて位相変換されたマイクロ波は、各第１アンテナ２２、各第２アンテナ２３から放射される際に位相が所定値ずれて放射される。従って、各第１アンテナ２２、各第２アンテナ２３を組み合わせることで、放射されるマイクロ波の指向性を変えることができる。これにより、被加熱物３１の所望する位置に対して適切にマイクロ波を放射することができる。
【００２７】
（効果）
上記構成の電子レンジ１によれば、第１増幅部１４、第２増幅部１５からのマイクロ波の供給先を、複数の第１アンテナ２２および第２アンテナ２３の何れかに切り替えることで、放射部である第１アンテナ２２、第２アンテナ２３の数に対して第１増幅部１４、第２増幅部１５は少ない。本実施形態では、１台の第１増幅部１４に対して４つの第１アンテナ２２が対応し、１台の第２増幅部１５に対して４つの第２アンテナ２３に対応している。これにより、増幅部の数の増加に起因する加熱調理器である電子レンジ１のコストアップを抑えることができる。
【００２８】
従って、被加熱物３１において温めたい箇所を選択的に加熱するために第１アンテナ２２、第２アンテナ２３の数を増やしても、増幅器の数が増えないため、アンテナと増幅器とが１対１の場合よりも安価な電子レンジ１を提供することが可能となる。
【００２９】
上記の実施形態１では、画像センサ２４を用いて被加熱物３１の載置位置、種類を特定する例について説明したが、以下の実施形態では、マイクロ波の反射波を用いて被加熱物３１の載置位置、種類を特定する例について説明する。
【００３０】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００３１】
本実施形態の電子レンジ１は、前記実施形態１の電子レンジ１と構成上の変更は僅かであり、ほとんど同じ構成である。具体的には、本実施形態の電子レンジ１は、第１アンテナ２２、第２アンテナ２３が放射したマイクロ波が電子レンジ１の加熱室１ａで反射した反射波を受信するための第１受信アンテナ４１、第２受信アンテナ４２が設けられている点で前記実施形態１の電子レンジ１と異なる。
【００３２】
なお、前記実施形態１では、第１アンテナ２２、第２アンテナ２３を用いてマイクロ波の反射波を受信し、加熱室１ａ内に載置された被加熱物３１の載置位置および種類（素材等）を特定する点について説明したが、本実施形態では、特定精度をさらに向上させるために、マイクロ波の反射波を受信する受信専用のアンテナ（第１受信アンテナ４１、第２受信アンテナ４２）を設けている。
【００３３】
第１受信アンテナ４１および第２受信アンテナ４２は、加熱室１ａの側壁に設けられている。なお、第１受信アンテナ４１および第２受信アンテナ４２は、本実施形態では１つずつの例を示したが、数は限定されない。受信アンテナの数は多ければ、それだけ情報量が多くなるので、被加熱物３１の載置位置および種類（素材等）の特定精度が向上する。
【００３４】
〔実施形態３〕
本発明のさらなる他の実施形態について、以下に説明する。なお、説明の便宜上、上記実施形態にて説明した部材と同じ機能を有する部材については、同じ符号を付記し、その説明を繰り返さない。
【００３５】
前記実施形態１，２では、第１切替え部２０、第２切替え部２１におけるマイクロ波の切り替えは、ＯＮ／ＯＦＦの切り替えのみのスイッチを用いて実現する例について説明していたが、本実施形態では、サーキュレータを用いてマイクロ波の切り替えを行なう例につて説明する。
【００３６】
（切替え部）
図４は、本実施形態に係る切替え部５１の概略構成を示す図である。切替え部５１は、各第１アンテナ２２に接続された３個の第１サーキュレータ５２、各第２アンテナ２３に接続された３個の第２サーキュレータ５３で構成されている。すなわち、前記実施形態１，２における第１切替え部２０の機能を３個の第１サーキュレータ５２で実現し、第２切替え部２１の機能を３個の第２サーキュレータ５３で実現している。
【００３７】
３個の第１サーキュレータ５２は、直列に接続されており、初段の第１サーキュレータ５２には、第１増幅部１４にて増幅されたマイクロ波が入力される。また、３個の第２サーキュレータ５３は、直列に接続されており、初段の第２サーキュレータ５３には、第２増幅部１５にて増幅されたマイクロ波が入力される。
【００３８】
ここで、３個の第１サーキュレータ５２に接続されている４個の第１アンテナ２２の周波数特性は全て異なる必要がある。同様に、３個の第２サーキュレータ５３に接続されている４個の第２アンテナ２３の周波数特性も全て異なる必要がある。しかしながら、第１アンテナ２２と第２アンテナ２３とは同じ周波数特性であってもよいし、異なる周波数特性であってもよい。
【００３９】
（切り替え動作）
第１アンテナ２２、第２アンテナ２３は、周波数特性が合致したマイクロ波のみを放射するようになっている。これを利用して、マイクロ波の供給先のアンテナを決める。
【００４０】
図４に示す切替え部５１において、初段の第１アンテナ２２から順に、第１アンテナ２２の周波数特性を２．４ＧＨｚ、２．４５ＧＨｚ、２．５ＧＨｚ、２．５５ＧＨｚとする。同様に、初段の第２アンテナ２３から順に、第２アンテナ２３の周波数特性を２．４ＧＨｚ、２．４５ＧＨｚ、２．５ＧＨｚ、２．５５ＧＨｚとする。
【００４１】
ここで、第１増幅部１４にて増幅されたマイクロ波の周波数特性が２．５ＧＨｚである場合、当該マイクロ波は、最初、初段の第１サーキュレータ５２に接続された第１アンテナ２２に送られるが、当該第１アンテナ２２の周波数特性が２．４ＧＨｚであるため、放射されずに、当該第１アンテナ２２にて反射され、第１サーキュレータ５２に戻る。第１サーキュレータ５２に戻ったマイクロ波は、次段の第１サーキュレータ５２に接続された第１アンテナ２２に送られる。しかしながら、ここの第１アンテナ２２の周波数特性が２．４５ＧＨｚであるため、放射されずに、当該第１アンテナ２２にて反射され、第１サーキュレータ５２に戻る。第１サーキュレータ５２に戻ったマイクロ波は、次段の第１サーキュレータ５２に接続された第１アンテナ２２に送られる。ここの第１アンテナ２２の周波数特性が２．５ＧＨｚであるため、当該第１アンテナ２２から周波数特性が２．５ＧＨｚのマイクロ波が放射される。このように、周波数特性が合致する第１アンテナ２２にてマイクロ波が放射される。すなわち、第１増幅部１４にて増幅されたマイクロ波は、周波数特性の合致する第２アンテナ２３が見つかるまで、図４に示す矢印方向に移動し、最終的に周波数特性が合致した第１アンテナ２２から放射される。
【００４２】
同様に、第２増幅部１５にて増幅されたマイクロ波も、周波数特性の合致する第２アンテナ２３が見つかるまで、図４に示す矢印方向に移動し、最終的に周波数特性が合致した第２アンテナ２３から放射される。
【００４３】
以上のように、第１アンテナ２２、第２アンテナ２３の周波数特性を利用してマイクロ波の放出先を切り替えることで、前記実施形態１，２の第１切替え部２０、第２切替え部２１のように制御部１１から指示に基づきＯＮ／ＯＦＦの切り替えをする必要がない。従って、制御部１１から制御信号を受信する回路等を設ける必要がなく、非常にシンプルな構成でマイクロ波の送り先の切り替えを行なうことができる。
【００４４】
〔実施形態４〕
本発明のさらなる他の実施形態について、以下に説明する。なお、説明の便宜上、上記実施形態にて説明した部材と同じ機能を有する部材については、同じ符号を付記し、その説明を繰り返さない。
【００４５】
前記実施形態１では、放射されるマイクロ波の指向性を変えるため、すなわち、マイクロ波の位相をずらすために、第１位相変換部１６、第２位相変換部１７を用いていたが、本実施形態では、第１位相変換部１６、第２位相変換部１７を用いずに、マイクロ波の位相をずらす例について説明する。
【００４６】
図５は、本実施形態の加熱調理器である電子レンジに搭載のアンテナとその配線を示す平面図である。
【００４７】
図５に示すように、加熱室１ａに配置された４個の第１アンテナ２２には、マイクロ波を伝送する配線６１がそれぞれ接続され、同様に、４個の第２アンテナ２３には、マイクロ波を伝送する配線６２がそれぞれ接続されている。
【００４８】
４本の上記配線６１はそれぞれの長さが異なる。つまり、第１増幅部１４から第１アンテナ２２までの長さが、各第１アンテナ２２において異なる。同様に、４本の上記配線６２はそれぞれ長さが異なる。つまり、第２増幅部１５から第１アンテナ２２までの長さが、各第２アンテナ２３において異なる。
【００４９】
配線６１の長さを異ならせることで、各第１アンテナ２２に供給されるマイクロ波の位相をずらすことができる。同様に、配線６２の長さを異ならせることで、第２アンテナ２３に供給されるマイクロ波の位相をずらすことができる。これにより、第１アンテナ２２および第２アンテナ２３から放射されるマイクロ波に指向性を持たせることができる。なお、配線６１，６２は、所望する指向性に合わせてパターン化した配線であることが好ましい。
【００５０】
このように、配線６１，６２の長さを変えるだけで、各配線によって供給されるマイクロ波の位相をずらすことができるので、前記実施形態１の電子レンジ１に用いられた第１位相変換部１６、第２位相変換部１７は不要となる。
【００５１】
〔変形例〕
前記実施形態１では、画像センサ２４による被加熱物３１の特定は、撮像された被加熱物３１の撮像画像と、記憶部２５に記憶された画像とを比較することで行なっていたが、電子レンジ１をインターネット接続可能にすることで、外部のサーバと通信し、撮像画像から被加熱物３１を特定するようにしてもよい。
【００５２】
例えば、図６に示すように、加熱調理器１００が建屋４００内の無線ＬＡＮアクセスポイント１０１を介してインターネット１０２に接続された状態とする。この状態で、加熱調理器１００が撮像した被加熱物３１の撮像画像を、当該インターネット１０２を介してクラウドサーバ２００に送信し、クラウドサーバ２００にて撮像画像から被加熱物３１を特定するようにしてもよい。特定された被加熱物３１の情報は、クラウドサーバ２００からインターネット１０２、無線ＬＡＮアクセスポイント１０１を介して加熱調理器１００に送られる。加熱調理器１００は、特定された被加熱物３１の情報に基づき決定した調理方法にて当該被加熱物３１の調理を行なう。
【００５３】
〔まとめ〕
本発明の態様１に係る加熱調理器は、被加熱物３１に対してマイクロ波を放射する複数の放射部（第１アンテナ２２、第２アンテナ２３）と、マイクロ波を増幅して上記放射部（第１アンテナ２２、第２アンテナ２３）に供給する増幅部（第１増幅部１４、第２増幅部１５）と、上記増幅部（第１増幅部１４、第２増幅部１５）からのマイクロ波の供給先を、上記複数の放射部（第１アンテナ２２、第２アンテナ２３）の何れかに切り替える切替え部（第１切替え部２０、第２切替え部２１）と、を備えていることを特徴としている。
【００５４】
上記構成によれば、増幅部からのマイクロ波の供給先を、複数の放射部の何れかに切り替える切替え部を備えることで、放射部の数に対して増幅部の数を減らすことができる。これにより、増幅部の数の増加に起因する加熱調理器のコストアップを抑えることができる。
【００５５】
従って、被加熱物において温めたい箇所を選択的に加熱するために放射部の数を増やしても、増幅器の数が増えないため、放射部と増幅器とが１対１の場合よりも安価な加熱調理器を提供することが可能となる。
【００５６】
本発明の態様２に係る加熱調理器は、上記態様１において、被加熱物３１を撮像する画像センサ２４と、上記画像センサ２４によって撮像された画像から、上記被加熱物３１の載置位置、種類の少なくとも何れかを特定する特定部（制御部１１）と、を備え、上記切替え部（第１切替え部２０、第２切替え部２１、切替え部５１）は、上記特定部（制御部１１）によって特定された被加熱物３１の載置位置、種類の少なくとも何れかに応じて上記放射部（第１アンテナ２２、第２アンテナ２３）を切り替えてもよい。
【００５７】
上記構成によれば、画像センサを備えることで、被加熱物の載置位置、種類の少なくとも何れかが自動的に特定されることになる。つまり、被加熱物の載置位置、種類の少なくとも何れかを自動で判別することができる。これにより、ユーザは、被加熱物の載置位置、種類を把握することなく、当該被加熱物を適切に加熱調理することができる。
【００５８】
本発明の態様３に係る加熱調理器は、上記態様１または２において、切替え部（第１切替え部２０、第２切替え部２１）は、増幅部（第１増幅部１４、第２増幅部１５）からのマイクロ波の供給先を、２つ以上の放射部（第１アンテナ２２、第２アンテナ２３）に切り替えてもよい。
【００５９】
上記の構成によれば、２つ以上の放射部に同じ位相のマイクロ波を供給することが可能となるため、指向性の高いマイクロ波を放射することが可能となる。
【００６０】
本発明の態様４に係る加熱調理器は、上記態様１〜３の何れか１態様において、上記切替え部（第１切替え部２０、第２切替え部２１）から上記放射部（第１アンテナ２２、第２アンテナ２３）にマイクロ波を供給するための配線（６１，６２）の長さが、放射部（第１アンテナ２２、第２アンテナ２３）毎に異なっていてもよい。
【００６１】
上記構成によれば、切替え部から上記放射部にマイクロ波を供給するための配線の長さが、放射部毎に異なっていることで、各放射部に供給されるマイクロ波の位相をずらすことができる。これにより、指向性を持たせてマイクロ波を放射させることができる。この場合、配線の長さを変えるだけで、各配線を流れるマイクロ波の位相が変るので、マイクロ波の位相を変換するための位相変換部を別途設ける必要がない。
【００６２】
本発明の態様５に係る加熱調理器は、上記態様１〜４の何れか１態様において、上記複数の放射部（第１アンテナ２２、第２アンテナ２３）は、それぞれ異なる周波数特性を有しており、切替え部５１は、上記増幅部（第１増幅部１４、第２増幅部１５）によって増幅されたマイクロ波の供給先を、各放射部（第１アンテナ２２、第２アンテナ２３）の周波数特性に応じて切り替えてもよい。
【００６３】
上記の構成によれば、増幅器に供給されるマイクロ波の周波数特性を変えることで簡単にマイクロ波の供給先を切り替えることが可能となる。
【００６４】
本発明の態様６に係る加熱調理器は、上記態様５において、上記切替え部５１は、上記放射部（第１アンテナ２２、第２アンテナ２３）のそれぞれに接続されたサーキュレータ（５２，５３）を備えていてもよい。
【００６５】
上記構成によれば、サーキュレータを用いることで、増幅器から増幅されたマイクロ波のうち、放射部の周波数特性に合致した周波数特性を有するマイクロ波のみが供給されることになり、この結果、簡単な構成で所望する放射部からマイクロ波を放射させることができる。
【００６６】
本発明の態様７に係る加熱調理器は、上記態様１において、上記放射部（第１アンテナ２２、第２アンテナ２３）が放射したマイクロ波を受信する受信アンテナ（第１受信アンテナ４１、第２受信アンテナ４２）を備え、上記受信アンテナ（第１受信アンテナ４１、第２受信アンテナ４２）が受信したマイクロ波から、上記被加熱物３１の載置位置、種類の少なくとも何れかを特定する特定部（制御部１１）と、を備え、上記切替え部（第１切替え部２０、第２切替え部２１、切替え部５１）は、上記特定部（制御部１１）によって特定された被加熱物３１の載置位置、種類の少なくとも何れかに応じて上記放射部（第１アンテナ２２、第２アンテナ２３）を切り替えてもよい。
【００６７】
上記構成によれば、放射部が放射したマイクロ波を受信する受信アンテナを備えることで、被加熱物の載置位置、種類の少なくとも何れかが自動的に特定されることになる。つまり、被加熱物の載置位置、種類の少なくとも何れかを自動で判別することができる。これにより、ユーザは、被加熱物の載置位置、種類の少なくとも何れかを把握することなく、当該被加熱物を適切に加熱調理することができる。
【００６８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６９】
１  電子レンジ（加熱調理器）
１１  制御部（特定部）
１２  発振部
１３  前段増幅部
１４  第１増幅部
１５  第２増幅部
１６  第１位相変換部
１７  第２位相変換部
１８  第１反射電力検出部
１９  第２反射電力検出部
２０  第１切替え部（切替え部）
２１  第２切替え部（切替え部）
２２  第１アンテナ（放射部）
２３  第２アンテナ（放射部）
２４  画像センサ
２５  記憶部
３１  被加熱物
４１  第１受信アンテナ
４２  第２受信アンテナ
５１  切替え部
５２  第１サーキュレータ
５３  第２サーキュレータ
６１，６２  配線
【図１】
2019038941.tif 000003
【図２】
2019038941.tif 000004
【図３】
2019038941.tif 000005
【図４】
2019038941.tif 000006
【図５】
2019038941.tif 000007
【図６】
2019038941.tif 000008
【国際調査報告】
2019038941.tif 000009
2019038941.tif 000010
2019038941.tif 000011
2019038941.tif 000012